(57)【要約】【課題】かご室の意匠性を損なうことなく、光源の保守、点検、交換等のメンテナンス作業をかご室内から容易に行えるエスカレータの照明装置を得ることにある。【解決手段】エレベータの照明装置は、かご室の天井面に取り付けられ、かご室内を照らす光源と、天井面に支持されたカバーと、を備えている。カバーは、光源を下方から覆う第１の位置と、光源をかご室内に露出させる第２の位置との間でスライド可能であるとともに、第１の位置にスライドされた状態では、締結具を介して天井面に固定されている。【選択図】図６
2017039561.tif 000002
【特許請求の範囲】
【請求項１】
かご室の天井面に取り付けられ、前記かご室内を照らす光源と、
前記光源を下方から覆う第１の位置と、前記光源を前記かご室内に露出させる第２の位置との間でスライド可能に前記天井面に支持され、前記第１の位置にスライドされた状態では、締結具を介して前記天井面に固定されたカバーと、
を備えたエレベータの照明装置。
【請求項２】
前記天井面から下向きに突出され、前記カバーのスライド方向に水平に延びたガイド部を有する第１のブラケットと、
前記天井面と向かい合う前記カバーの裏面から前記天井面に向けて突出され、前記カバーのスライド方向に水平に延びたガイド部を有する第２のブラケットと、をさらに備え、
前記第１のブラケットの前記ガイド部の上に前記第２のブラケットの前記ガイド部が摺動可能に重なり合う請求項１に記載のエレベータの照明装置。
【請求項３】
前記カバーは、前記第１のブラケットおよび前記第２のブラケットを下方から覆い隠す請求項２に記載のエレベータの照明装置。
【請求項４】
前記カバーが前記締結具を介して前記天井面に固定された状態では、前記第１のブラケットの前記ガイド部と前記第２のブラケットの前記ガイド部とが互いに離れている請求項２又は請求項３に記載のエレベータの照明装置。
【請求項５】
前記第１のブラケットは、前記ガイド部から前記天井面に向けて起立された起立部を有し、前記第２のブラケットは、前記ガイド部から前記カバーの裏面に向けて起立された起立部を有し、
前記第１のブラケットの前記ガイド部の先端と前記第２のブラケットの前記起立部との間に隙間が形成されているとともに、前記第２のブラケットの前記ガイド部の先端と前記第１のブラケットの前記起立部との間に隙間が形成された請求項２ないし請求項４のいずれか一項に記載のエレベータの照明装置。
【請求項６】
前記光源は、互いに間隔を存して配列された一対の発光列を含み、前記発光列は、夫々天井面から下方に向けて突出された板部を有し、
前記カバーは、前記裏面から前記天井面に向けて突出されて前記発光列の前記板部の間に介在された突出部を有し、
前記カバーをスライドさせた状態では、前記突出部がいずれか一方の前記発光列の前記板部に突き当たって前記カバーのスライドが制限される請求項１又は請求項２に記載のエレベータの照明装置。
【発明の詳細な説明】
【技術分野】
【０００１】
本発明の実施形態は、かご室内を照らすエレベータの照明装置に関する。
【背景技術】
【０００２】
エレベータの乗りかごは、かご室内を照らす照明装置を備えている。照明装置は、かご室の天井面に設置されており、かご室の意匠性に大きな影響を及ぼすことが知られている。
【先行技術文献】
【特許文献】
【０００３】
【特許文献１】特許第５００３０３１号公報
【発明の概要】
【発明が解決しようとする課題】
【０００４】
かご室の天井面に照明装置を設置する場合、例えばＬＥＤのような光源の保守、点検、交換等の作業、あるいは光源を覆うカバーの清掃作業等を、かご室の意匠性を損なうことなく、かご室内から行える構成とすることが望まれる。
【０００５】
本発明の目的は、かご室の意匠性を確保しつつ、光源の保守、点検、交換等の各種のメンテナンス作業をかご室内から容易に行えるエレベータの照明装置を得ることにある。
【課題を解決するための手段】
【０００６】
実施形態によれば、エレベータの照明装置は、かご室の天井面に取り付けられ、前記かご室内を照らす光源と、前記天井面に支持されたカバーと、を備えている。前記カバーは、前記光源を下方から覆う第１の位置と、前記光源を前記かご室内に露出させる第２の位置との間でスライド可能であるとともに、前記第１の位置にスライドされた状態では、締結具を介して前記天井面に固定されている。
【図面の簡単な説明】
【０００７】
【図１】実施形態に係るエレベータの乗りかごの内部を示す斜視図である。
【図２】天井板の天井面に照明装置を取り付けた状態を示す斜視図である。
【図３】天井板の天井面に複数のＬＥＤユニットおよび一対の第１のブラケットを取り付けた状態を示す平面図である。
【図４】単一のＬＥＤユニットの斜視図である。
【図５】ＬＥＤユニットに補強レールを固定した状態を示す斜視図である。
【図６】（Ａ）および（Ｂ）は、夫々カバーを第２の位置にスライドさせた時のＬＥＤユニットとカバーとの位置関係を示す断面図である。
【図７】カバーを第１の位置に固定した状態を示す平面図である。
【図８】カバーをかご室に露出する表面の方向から見た斜視図である。
【図９】カバーを天井面と向かい合う裏面の方向から見た斜視図である。
【図１０】天井板の天井面に照明装置を取り付ける状態を示す側面図である。
【図１１】図１０のＦ１１−Ｆ１１線に沿う断面図である。
【図１２】第１のブラケットの斜視図である。
【図１３】（Ａ）は、カバーを天井面に固定した時の第１のブラケットと第２のブラケットとの位置関係を示す側面図である。（Ｂ）は、カバーの固定を解除した時の第１のブラケットと第２のブラケットとの位置関係を示す側面図である。
【発明を実施するための形態】
【０００８】
以下、実施形態について、図面を参照して説明する。
【０００９】
図１は、エレベータの乗りかご１の内部構造を示している。乗りかご１は、乗客が乗り込むかご室２を有している。かご室２は、床板３、側板４および天井板５で囲まれた四角い箱状の要素であり、かご扉６で開閉される乗降口７を備えている。天井板５は、かご室２に露出されたフラットな天井面８を有している。天井面８は、かご室２の意匠性を確保するため、例えば光反射処理が施されている。
【００１０】
間接照明式の照明装置１０が天井面８の中央部に設置されている。図３および図６に示すように、照明装置１０は、複数のＬＥＤユニット１１およびカバー１２を主要な要素として備えている。ＬＥＤユニット１１は、光源の一例であって、天井面８の上に第１の発光列１３ａおよび第２の発光列１３ｂを規定している。
【００１１】
具体的には、第１の発光列１３ａおよび第２の発光列１３ｂは、夫々かご室２の奥行き方向に一列に並べられた四個のＬＥＤユニット１１で構成されている。第１の発光列１３ａおよび第２の発光列１３ｂは、かご室２の幅方向に互いに間隔を存して平行に配置されている。
【００１２】
図４および図５に最もよく示されるように、各ＬＥＤユニット１１は、金属製のベース１４および複数のＬＥＤパッケージ１５を有している。ベース１４は、細長い板状の支持部１６と、支持部１６の一側から立ち上がる側板部１７と、を備え、側板部１７の上端には、水平に折り曲げられたフランジ部１７ａが形成されている。
【００１３】
各ＬＥＤパッケージ１５は、四角い基板２０の上に実装されたＬＥＤチップ２１と、ＬＥＤチップ２１を覆うレンズ２２と、を備えている。本実施形態では、６個のＬＥＤパッケージ１５がベース１４の支持部１６の上に一列に並べて実装されている。支持部１６に実装されたＬＥＤパッケージ１５は、保護フィルム２３で覆われている。
【００１４】
図３および図５に示すように、第１の発光列１３ａを構成する四個のＬＥＤユニット１１および第２の発光列１３ｂを構成する四個のＬＥＤユニット１１は、夫々補強レール２５を介して一体的に結合されている。補強レール２５は、ＬＥＤユニット１１の配列方向に沿って一直線状に延びている。補強レール２５は、水平な第１の板部２５ａと、第１の板部２５ａの一側から下向きに直角に折り曲げられた第２の板部２５ｂと、を有している。
【００１５】
図６に最もよく示されるように、補強レール２５の第１の板部２５ａは、ベース１４のフランジ部１７ａの上に重ね合わされている。第１の板部２５ａは、フランジ部１７ａを貫通する複数のねじ部（図示せず）を有し、当該ねじ部の貫通端にナット２６がねじ込まれている。これにより、補強レール２５がＬＥＤユニット１１のベース１４に連結されている。
【００１６】
それとともに、補強レール２５の第１の板部２５ａは、締結具の一例である複数のボルト２７を介して天井板５の天井面８に締結されている。このため、第１の発光列１３ａおよび第２の発光列１３ｂは、天井面８に取り外し可能に直付けされている。
【００１７】
第１の発光列１３ａおよび第２の発光列１３ｂが天井面８に直付けされた状態では、ＬＥＤパッケージ１５のレンズ２２が天井面８と向かい合っている。このため、図６に矢印で示すように、ＬＥＤチップ２１から放射された光は、レンズ２２を通じて天井面８に向かうとともに、天井面８で下向きに反射されてかご室２内を間接的に照明する。
【００１８】
さらに、第１の発光列１３ａに対応する補強レール２５の第２の板部２５ｂおよび第２の発光列１３ｂに対応する補強レール２５の第２の板部２５ｂは、夫々かご室２の天井面８から下向きに突出されているとともに、かご室２の奥行き方向に一直線状に延びている。したがって、第１の発光列１３ａに対応する第２の板部２５ｂおよび第２の発光列１３ｂに対応する第２の板部２５ｂは、かご室２の幅方向に互いに間隔を存して向かい合っている。
【００１９】
図７ないし図９に示すように、照明装置１０のカバー１２は、かご室２の奥行き方向に延びた長方形の板状の要素である。カバー１２は、遮光性を有するとともに、第１の発光列１３ａおよび第２の発光列１３ｂを下方から覆っている。
【００２０】
カバー１２は、かご室２に露出された表面１２ａと、天井面８と向かい合う裏面１２ｂと、を有している。カバー１２の外周縁部１２ｃは、裏面１２ｂに向けて折り返されている。さらに、カバー１２は、一対の嵌合孔２８ａ，２８ｂを有している。嵌合孔２８ａ，２８ｂは、カバー１２の長手方向に互いに離れているとともに、カバー１２の幅方向に沿う中央部に位置されている。
【００２１】
図９および図１１に示すように、補強金具３０がカバー１２の裏面１２ｂの中央部に取り付けられている。補強金具３０は、突出部の一例であって、カバー１２の裏面１２ｂから天井面８に向けて突出されているとともに、カバー１２の長手方向に延びている。
【００２２】
補強金具３０は、金具本体３１および一対のフランジ部３２ａ，３２ｂを有している。金具本体３１は、細長いフラットな支持部３１ａと、支持部の３１ａの長手方向に沿う両側縁部からカバー１２の裏面１２ｂに向けて折り曲げられた一対の側板部３１ｂ，３１ｃと、を有している。フランジ部３２ａ，３２ｂは、側板部３１ｂ，３１ｃの下縁から水平に折り曲げられているとともに、例えば接着等の手段によりカバー１２の裏面１２ｂに固定されている。
【００２３】
補強金具３０がカバー１２の裏面１２ｂに固定された状態では、金具本体３１の支持部３１ａがカバー１２の嵌合孔２８ａ，２８ｂの上方に位置されているとともに、側板部３１ｂ，３１ｃがカバー１２の裏面１２ｂから上向きに突出されている。
【００２４】
さらに、補強金具３０の金具本体３１は、第１の発光列１３ａと第２の発光列１３ｂとの間に位置されている。これにより、金具本体３１の一方の側板部３１ｂが第１の発光列１３ａの第２の板部２５ｂと向かい合い、金具本体３１の他方の側板部３１ｃが第２の発光列１３ｂの第２の板部２５ｂと向かい合っている。
【００２５】
図９に示すように、一対の通孔３４ａ，３４ｂが補強金具３０の支持部３１ａに形成されている。通孔３４ａ，３４ｂは、カバー１２の嵌合孔２８ａ，２８ｂの真上に位置するようにカバー１２の長手方向に互いに離れている。
【００２６】
一対の固定ブラケット３５ａ，３５ｂが補強金具３０の支持部３１ａの上に固定されている。固定ブラケット３５ａ，３５ｂは、通孔３４ａ，３４ｂを上方から覆っている。さらに、固定ブラケット３５ａ，３５ｂは、夫々天井面８に接するフラットな固定面３６を有している。一対の挿通孔３７が固定面３６に形成されている。挿通孔３７は、通孔３４ａ，３４ｂおよび嵌合孔２８ａ，２８ｂを通じてカバー１２の表面１２ａの方向から視認可能となっている。
【００２７】
このようなカバー１２は、一対の第１のブラケット４０ａ，４０ｂおよび一対の第２のブラケット４１ａ，４１ｂを介して天井面８に支持されている。
【００２８】
図３に示すように、第１のブラケット４０ａ，４０ｂは、第１の発光列１３ａおよび第２の発光列１３ｂを外れた位置で天井面８に直付けされ、第１の発光列１３ａおよび第２の発光列１３ｂと直交する方向に延びている。言い換えると、第１のブラケット４０ａ，４０ｂは、かご室２の幅方向に沿って水平に延びているとともに、かご室２の奥行き方向に互いに間隔を存して平行に配置されている。
【００２９】
図１２および図１３に一方の第１のブラケット４０ａを代表して示すように、第１のブラケット４０ａは、板状の起立部４２と、起立部４２の上縁から水平に折り曲げられたフランジ状の取り付け部４３と、起立部４２の下縁から取り付け部４３とは逆向きに水平に折り曲げられたフランジ状のガイド部４４と、を備えている。
【００３０】
第１のブラケット４０ａ，４０ｂの取り付け部４３は、二本のボルト４５で天井面８に固定されている。そのため、第１のブラケット４０ａ，４０ｂの起立部４２は、天井面８から下向きに突出されている。それとともに、第１のブラケット４０ａ，４０ｂのガイド部４４は、第１の発光列１３ａおよび第２の発光列１３ｂの端部間に跨るように水平に延びている。
【００３１】
図９に示すように、第２のブラケット４１ａ，４１ｂは、カバー１２の裏面１２ｂの長手方向に沿う両端部においてカバー１２の幅方向に水平に延びている。第２のブラケット４１ａ，４１ｂは、夫々板状の取り付け部４７と、取り付け部４７の一側縁部から上向きに折り曲げられた起立部４８と、起立部４８の上縁から水平に折り曲げられたフランジ状のガイド部４９と、を備えている。
【００３２】
第２のブラケット４１ａ，４１ｂの取り付け部４７は、例えばカバー１２の裏面１２ｂに接着等の手段で固定されている。第２のブラケット４１ａ，４１ｂの起立部４８は、カバー１２の裏面１２ｂから天井面８に向けて上向きに突出されており、起立部４８の上縁に連続するガイド部４９がカバー１２の幅方向に水平に延びている。
【００３３】
第２のブラケット４１ａ，４１ｂのガイド部４９は、カバー１２の長手方向の両端部よりもカバー１２の内側に入り込んだ位置にあり、カバー１２を表面１２ａの側から見た場合には、カバー１２の表面１２ａによって覆い隠されている。
【００３４】
図１３に示すように、第２のブラケット４１ａ，４１ｂのガイド部４９は、第１のブラケット４０ａ，４０ｂのガイド部４４と天井面８との間に差し込まれている。このため、ガイド部４４，４９は、かご室２の高さ方向に互いに向かい合っており、これらガイド部４４，４９が摺動可能に重なり合うことで、カバー１２が天井面８に保持される。
【００３５】
本実施形態によると、カバー１２は、第１の位置Ｐ１と第２の位置Ｐ２との間でスライド可能に天井面８に保持されている。図３および図７は、カバー１２が第１の位置Ｐ１にスライドされた状態を開示している。第１の位置では、カバー１２は、第１の発光列１３ａ、第２の発光列１３ｂおよび第１のブラケット４０ａ，４０ｂをかご室２の内側から覆い隠している。さらに、カバー１２の補強金具３０が第１の発光列１３ａと第２の発光列１３ｂとの間の中間部に位置されている。
【００３６】
そのため、補強金具３０の側板部３１ｂが第１の発光列１３ａに対応する補強レール２５の第２の板部２５ａと向かい合うとともに、補強金具３０の側板部３１ｃが第２の発光列１３ｂに対応する補強レール２５の第２の板部２５ａと向かい合っている。
【００３７】
それとともに、図１３（Ａ）に最もよく示されるように、第１の位置Ｐ１では、第１のブラケット４０ａ，４０ｂのガイド部４４の先端と第２のブラケット４１ａ，４１ｂの起立部４８とは互いに離れており、これらガイド部４４の先端と起立部４８との間に隙間Ｇ１が形成されている。
【００３８】
同様に、第２のブラケット４１ａ，４１ｂのガイド部４９の先端と第１のブラケット４０ａ，４０ｂの起立部４２とは互いに離れており、これらガイド部４９の先端と起立部４２との間に隙間Ｇ２が形成されている。
【００３９】
加えて、第１の位置Ｐ１では、カバー１２の嵌合孔２８ａ，２８ｂを通じてカバー１２の表面１２ａの側から見える挿通孔３７が天井面８に開けたねじ孔（図示せず）と合致している。そのため、図７に示すように、挿通孔３７に夫々嵌合孔２８ａ，２８ｂを通じてボルト５０を挿通し、当該ボルト５０を天井面８のねじ孔にねじ込むことで、カバー１２が第１の位置Ｐ１に移動不能に固定されている。
【００４０】
カバー１２が第１の位置Ｐ１に固定された状態では、ボルト５０のねじ込みに伴って固定ブラケット３５ａ，３５ｂの固定面３６が天井面８に接する位置までカバー１２が引き上げられている。これにより、図１３（Ａ）に示すように、第１のブラケット４０ａ，４０ｂのガイド部４４と第２のブラケット４１ａ，４１ｂのガイド部４９とがかご室２の高さ方向に互いに離れた状態に維持されている。
【００４１】
本実施形態では、図２に示すように、第１の位置Ｐ１に保持されたカバー１２の嵌合孔２８ａ，２８ｂに夫々ダウンライト５１が取り外し可能に嵌合されている。ダウンライト５１は、カバー１２に一体的に埋め込まれているとともに、カバー１２を天井面８に固定するボルト５０を下方から覆い隠している。
【００４２】
図６（Ａ）および（Ｂ）は、夫々カバー１２が第２の位置Ｐ２にスライドされた状態を開示している。第２の位置Ｐ２では、カバー１２は、図６（Ａ）に示すように第１の発光列１３ａを覆い隠すとともに、第２の発光列１３ｂを露出させた形態と、図６（Ｂ）に示すように第１の発光列１３ａを露出させるとともに、第２の発光列１３ｂを覆い隠す形態、とを有している。
【００４３】
具体的に述べると、カバー１２を第１の位置Ｐ１から第２の位置Ｐ２にスライドさせるに当たっては、ダウンライト５１がカバー１２の嵌合孔２８ａ，２８ｂから取り外されている。それとともに、ボルト５０によるカバー１２の固定が解除され、図１３（Ｂ）に示すように、カバー１２が天井面８から降下して第２のブラケット４１ａ，４１ｂのガイド部４９が第１のブラケット４０ａ，４０ｂのブラケット４０ａ，４０ｂのガイド部４４の上に摺動可能に重なり合っている。
【００４４】
そのため、天井面８に対する保持が解除されたカバー１２を例えば作業者が手作業でかご室２の幅方向に押圧すると、カバー１２のブラケット４１ａ，４１ｂのガイド部４９が第１のブラケット４０ａ，４０ｂのガイド部４４に沿ってスライドする。
【００４５】
さらに、第２のブラケット４１ａ，４１ｂのガイド部４９が第１のブラケット４０ａ，４０ｂのガイド部４４の上に重なり合った状態では、隙間Ｇ１およびＧ２の分だけカバー１２をかご室８の奥行き方向にスライドさせることが可能となる。
【００４６】
図６（Ａ）に示すように、カバー１２を第２の発光列１３ｂから外れた位置までスライドさせると、第２の発光列１３ｂのＬＥＤユニット１１を天井面８に固定しているナット２６がかご室２に露出される。そのため、ナット２６を緩めることでＬＥＤユニット１１を天井面８から取り外すことができる。
【００４７】
さらに、カバー１２を第２の発光列１３ｂから外れた位置までスライドさせると、補強金具３０の側板部３１ｂが第１の発光列１３ａに対応した補強レール２５の第２の板部２５ｂに突き当たる。これにより、カバー１２のスライドが制限される。したがって、補強レール２５がカバー１２のスライドを制限するストッパとして機能する。
【００４８】
図６（Ｂ）に示すように、カバー１２を第１の発光列１３ａから外れた位置までスライドさせると、第１の発光列１３ａのＬＥＤユニット１１を天井面８に固定しているナット２６がかご室２に露出される。そのため、ナット２６を緩めることでＬＥＤユニット１１を天井面８から取り外すことができる。
【００４９】
さらに、カバー１２を第１の発光列１３ａから外れた位置までスライドさせると、補強金具３０の側板部３１ｃが第２の発光列１３ｂに対応した補強レール２５の第２の板部２５ｂに突き当たる。これにより、カバー１２のスライドが制限される。したがって、補強レール２５がカバー１２のスライドを制限するストッパとして機能する。
【００５０】
次に、カバー１２で覆われたＬＥＤユニット１１を保守・点検、交換あるいは清掃する際の作業手順について説明する。
【００５１】
最初にカバー１２の嵌合孔２８ａ，２８ｂからダウンライト５１を取り外す。ダウンライト５１を取り外すと、図７に示すように、カバー１２を天井面８に固定しているボルト５０が嵌合孔２８ａ，２８ｂからかご室２に露出されるので、当該ボルト５０を緩めて天井面８から取り外す。
【００５２】
天井面８に対するカバー１２の固定が解除されると、カバー１２が降下し、第２のブラケット４１ａ，４１ｂのガイド部４９が第１のブラケット４０ａ，４０ｂのガイド部４４の上に摺動可能に重なり合う。
【００５３】
この状態で、例えば図６（Ａ）に示すように、補強金具３０の側板部３１ｂが第１の発光列１３ａに対応する補強レール２５の第２の板部２５ｂに突き当たるまでカバー１２をスライドさせる。
【００５４】
カバー１２が第２の位置Ｐ２にスライドされると、第２の発光列１３ｂのＬＥＤユニット１１およびＬＥＤユニット１１を補強レール２５に固定しているナット２６がかご室２に露出される。そのため、ナット２６を緩めることでＬＥＤユニット１１を天井面８から取り外すことができ、ＬＥＤユニット１１に対する各種のメンテナンス作業を実行することができる。
【００５５】
同様に、図６（Ｂ）に示すように、補強金具３０の側板部３１ｃが第２の発光列１３ｂに対応する補強レール２５の第２の板部２５ｂに突き当たるまでカバー１２をスライドさせると、第１の発光列１３ａのＬＥＤユニット１１およびＬＥＤユニット１１を補強レール２５に固定しているナット２６がかご室２に露出される。そのため、ナット２６を緩めることでＬＥＤユニット１１を天井面８から取り外すことができ、ＬＥＤユニット１１に対する各種のメンテナンス作業を実行することができる。
【００５６】
一方、例えばカバー１２を交換する際には、第１の発光列１３ａ又は第２の発光列１３ｂに対応する補強レール２５を天井面８に固定しているボルト２７を緩め、補強レール２５をＬＥＤユニット１１と共に天井面８から取り外す。
【００５７】
これにより、第１のブラケット４０ａ，４０ｂのガイド部４４と第２のブラケット４１ａ，４１ｂのガイド部４９との噛み合いが外れるまでカバー１２をスライドさせることが可能となり、カバー１２を天井面８から取り外すことができる。
【００５８】
このような実施形態によれば、カバー１２を第１の位置Ｐ１から第２の位置Ｐ２にスライドさせることで、第１の発光列１３ａのＬＥＤユニット１１又は第２の発光列１３ｂのＬＥＤユニット１１をかご室２内に選択的に露出させることができる。それとともに、必要に応じてＬＥＤユニット１１を天井面８から取り外すことができる。
【００５９】
このため、かご室２内からＬＥＤユニット１１の保守・点検および交換等の各種のメンテナンス作業を実行することができ、作業性を良好に維持することができる。
【００６０】
加えて、カバー１２が第１の位置Ｐ１に固定された状態では、カバー１２が複数のＬＥＤユニット１１を始めとして、カバー１２をスライドさせるための構造物である第１のブラケット４０ａ，４０ｂおよび第２のブラケット４１ａ，４１ｂを覆い隠している。
【００６１】
そのため、ＬＥＤユニット１１およびカバー１２をスライドさせる構造物がかご室２に乗り込んだ乗客の目に留まることはない。したがって、間接照明を採用したことと相まって、かご室２の意匠性を十分に確保することができる。
【００６２】
さらに、本実施形態によると、天井面８に対するカバー１２の固定を解除した状態では、図１３（Ｂ）に示すように、カバー１２に設けられた第２のブラケット４１ａ，４１ｂのガイド部４９が天井面８に固定された第１のブラケット４０ａ，４０ｂのガイド部４４の上に摺動可能に重なり合う。このため、第１のブラケット４０ａ，４０ｂがカバー１２を吊り下げた状態となり、第１のブラケット４０ａ，４０ｂがカバー１２の荷重を受け止める要素として機能する。
【００６３】
言い換えると、カバー１２をスライドさせる作業者にカバー１２の全荷重が加わることはなく、作業者がカバー１２をスライドさせる際の作業負荷が軽減される。よって、カバー１２を少ない力で容易にスライドさせることができる。
【００６４】
加えて、図１３（Ｂ）に示すように、第２のブラケット４１ａ，４１ｂのガイド部４９が第１のブラケット４０ａ，４０ｂのガイド部４４の上に重なり合った状態において、ガイド部４４の先端と起立部４８との間に隙間Ｇ１が形成されているとともに、ガイド部４９の先端と起立部４２との間に隙間Ｇ２が形成されている。このため、第１のブラケット４０ａ，４０ｂと第２のブラケット４１ａ，４１ｂとの接触面積を少なく抑えることができ、カバー１２をスライドさせる際の摩擦抵抗を低減することができる。
【００６５】
さらに、本実施形態では、第１の発光列１３ａに対応する補強レール２５の第２の板部２５ｂおよび第２の発光列１３ｂに対応する補強レール２５の第２の板部２５ｂがカバー１２のスライド範囲を規定するストッパとしての機能を兼ねている。このため、カバー１２のスライドを制限する専用のストッパが不要となり、その分、照明装置１０の部品点数を削減してコストを低減できるといった利点がある。
【００６６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６７】
例えば、光源はＬＥＤユニットに限らず、けい光ランプあるいはその他の放電灯であっても同様に実施可能である。
【００６８】
さらに、カバーにしても遮光性を有する構造物に特定されず、光透過性を有するセードあるいはグローブのような構造物であってもよい。
【符号の説明】
【００６９】
２…かご室、８…天井面、１０…照明装置、１１…光源（ＬＥＤユニット）、１２…カバー、２７…締結具（ボルト）。
【図１】
2017039561.tif 000003
【図２】
2017039561.tif 000004
【図３】
2017039561.tif 000005
【図４】
2017039561.tif 000006
【図５】
2017039561.tif 000007
【図６】
2017039561.tif 000008
【図７】
2017039561.tif 000009
【図８】
2017039561.tif 000010
【図９】
2017039561.tif 000011
【図１０】
2017039561.tif 000012
【図１１】
2017039561.tif 000013
【図１２】
2017039561.tif 000014
【図１３】
2017039561.tif 000015
【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
かご室の天井面に取り付けられ、前記かご室内を照らす光源と、
前記光源を下方から覆う第１の位置と、前記光源を前記かご室内に露出させる第２の位置との間でスライド可能であり、前記第１の位置にスライドされた状態では、締結具を介して前記天井面に固定されたカバーと、
前記天井面から下向きに突出され、前記カバーのスライド方向に水平に延びたガイド部を有する第１のブラケットと、
前記天井面と向かい合う前記カバーの裏面から前記天井面に向けて突出され、前記カバーのスライド方向に水平に延びたガイド部を有する第２のブラケットと、を備え、
前記第１のブラケットの前記ガイド部の上に前記第２のブラケットの前記ガイド部が摺動可能に重なり合うことで、前記カバーが前記第１の位置と前記第２の位置との間でスライド可能に前記天井面に支持されるとともに、前記カバーが前記第１のブラケットおよび前記第２のブラケットを下方から覆い隠したエレベータの照明装置。
【請求項２】
前記カバーが前記締結具を介して前記天井面に固定された状態では、前記第１のブラケットの前記ガイド部と前記第２のブラケットの前記ガイド部とが互いに離れている請求項１に記載のエレベータの照明装置。
【請求項３】
前記第１のブラケットは、前記ガイド部から前記天井面に向けて起立された起立部を有し、前記第２のブラケットは、前記ガイド部から前記カバーの前記裏面に向けて起立された起立部を有し、
前記第１のブラケットの前記ガイド部の先端と前記第２のブラケットの前記起立部との間に隙間が形成されているとともに、前記第２のブラケットの前記ガイド部の先端と前記第１のブラケットの前記起立部との間に隙間が形成された請求項１又は請求項２に記載のエレベータの照明装置。
【請求項４】
前記光源は、互いに間隔を存して配列された一対の発光列を含み、前記発光列は、夫々天井面から下方に向けて突出された板部を有し、
前記カバーは、前記裏面から前記天井面に向けて突出されて前記発光列の前記板部の間に介在された突出部を有し、
前記カバーを前記第２の位置にスライドさせた状態では、前記突出部がいずれか一方の前記発光列の前記板部に突き当たって前記カバーのスライドが制限される請求項１に記載のエレベータの照明装置。
【手続補正２】
【補正対象書類名】明細書
【補正対象項目名】０００８
【補正方法】変更
【補正の内容】
【０００８】
実施形態によれば、エレベータの照明装置は、かご室の天井面に取り付けられ、前記かご室内を照らす光源と、前記光源を下方から覆う第１の位置と、前記光源を前記かご室内に露出させる第２の位置との間でスライド可能であり、前記第１の位置にスライドされた状態では、締結具を介して前記天井面に固定されたカバーと、前記天井面から下向きに突出され、前記カバーのスライド方向に水平に延びたガイド部を有する第１のブラケットと、 前記天井面と向かい合う前記カバーの裏面から前記天井面に向けて突出され、前記カバーのスライド方向に水平に延びたガイド部を有する第２のブラケットと、を備えている。
前記第１のブラケットの前記ガイド部の上に前記第２のブラケットの前記ガイド部が摺動可能に重なり合うことで、前記カバーが前記第１の位置と前記第２の位置との間でスライド可能に前記天井面に支持されるとともに、前記カバーが前記第１のブラケットおよび前記第２のブラケットを下方から覆い隠すことを特徴としている。
【手続補正３】
【補正対象書類名】明細書
【補正対象項目名】００１６
【補正方法】変更
【補正の内容】
【００１６】
それとともに、補強レール２５の第１の板部２５ａは、複数のボルト２７を介して天井板５の天井面８に締結されている。このため、第１の発光列１３ａおよび第２の発光列１３ｂは、天井面８に取り外し可能に直付けされている。
【手続補正４】
【補正対象書類名】明細書
【補正対象項目名】００３９
【補正方法】変更
【補正の内容】
【００３９】
加えて、第１の位置Ｐ１では、カバー１２の嵌合孔２８ａ，２８ｂを通じてカバー１２の表面１２ａの側から見える挿通孔３７が天井面８に開けたねじ孔（図示せず）と合致している。そのため、図７に示すように、挿通孔３７に夫々嵌合孔２８ａ，２８ｂを通じて締結具の一例であるボルト５０を挿通し、当該ボルト５０を天井面８のねじ孔にねじ込むことで、カバー１２が第１の位置Ｐ１に移動不能に固定されている。
【手続補正５】
【補正対象書類名】明細書
【補正対象項目名】００４３
【補正方法】変更
【補正の内容】
【００４３】
具体的に述べると、カバー１２を第１の位置Ｐ１から第２の位置Ｐ２にスライドさせるに当たっては、ダウンライト５１がカバー１２の嵌合孔２８ａ，２８ｂから取り外されている。それとともに、ボルト５０によるカバー１２の固定が解除され、図１３（Ｂ）に示すように、カバー１２が天井面８から降下して第２のブラケット４１ａ，４１ｂのガイド部４９が第１のブラケット４０ａ，４０ｂのガイド部４４の上に摺動可能に重なり合っている。
【手続補正６】
【補正対象書類名】明細書
【補正対象項目名】００４４
【補正方法】変更
【補正の内容】
【００４４】
そのため、天井面８に対する保持が解除されたカバー１２を例えば作業者が手作業でかご室２の幅方向に押圧すると、カバー１２の第２のブラケット４１ａ，４１ｂのガイド部４９が第１のブラケット４０ａ，４０ｂのガイド部４４に沿ってスライドする。
【手続補正７】
【補正対象書類名】明細書
【補正対象項目名】００６９
【補正方法】変更
【補正の内容】
【００６９】
２…かご室、８…天井面、１０…照明装置、１１…光源（ＬＥＤユニット）、１２…カバー、１２ｂ…裏面、４０ａ，４０ｂ…第１のブラケット、４１ａ，４１ｂ…第２のブラケット、４４，４９…ガイド部、４５…締結具（ボルト）。
【手続補正８】
【補正対象書類名】図面
【補正対象項目名】図６
【補正方法】変更
【補正の内容】
【図６】
2017039561.tif 000016
【手続補正９】
【補正対象書類名】図面
【補正対象項目名】図９
【補正方法】変更
【補正の内容】
【図９】
2017039561.tif 000017
【手続補正１０】
【補正対象書類名】図面
【補正対象項目名】図１０
【補正方法】変更
【補正の内容】
【図１０】
2017039561.tif 000018